(57)【要約】【課題】クレーン等の重機を必要としないことから、重機の設置場所を確保せずに安価に、軟弱地盤工事、地滑り対策工事、急斜面地の腹付け盛土工事等を施工することができる軽量盛土工法用垂直壁面構造物を提供する。【解決手段】基礎部に所定の間隔で立設された複数本の支柱と、これら支柱に貫通孔を挿通させて積み上げた片面に外装材を有した多数個の樹脂発泡成形体ブロックと、前記支柱と発泡樹脂製角形ブロックとの間に架設される傾倒防止金具とから構成されいることを特徴とする、軽量盛土工法用垂直壁面構造物。【選択図】　図１
2004137786.tif 000002
【特許請求の範囲】
【請求項１】
発泡樹脂製角形ブロックを積み上げて構築する軽量盛土工法の側壁として施工される垂直壁面構造物において、該垂直壁面構造物が、基礎部に所定の間隔で立設された複数本の支柱と、これら支柱に貫通孔を挿通させて積み上げた片面に外装材を有した多数個の樹脂発泡成形体ブロックと、前記支柱と発泡樹脂製角形ブロックとの間に架設される傾倒防止金具とから構成されいることを特徴とする、軽量盛土工法用垂直壁面構造物。
【請求項２】
支柱は、両端に接続部が形成されており、これら接続部により延長自在としたものである、請求項１に記載の軽量盛土工法用垂直壁面構造物。
【請求項３】
傾倒防止金具は、一端に支柱にスライド可能な環状又は略環状接続部が形成されており、他端に発泡樹脂製角形ブロックに係止するための突起部が形成された棒状体である、請求項１又は２に記載の軽量盛土工法用垂直壁面構造物。
【請求項４】
スライド可能な環状又は略環状接続部が、突起部が形成された棒状体と着脱自在に形成されている、請求項３に記載の軽量盛土工法用垂直壁面構造物。
【請求項５】
支柱と発泡樹脂製角形ブロックとの間に架設される傾倒防止金具が、略水平方向に架設されている、請求項１〜４のいずれかに記載の軽量盛土工法用垂直壁面構造物。
【請求項６】
傾倒防止金具が装着されている樹脂発泡成形体ブロックの貫通孔部分には垂直方向に開口部が形成されている、請求項１〜５のいずれかに記載の軽量盛土工法用垂直壁面構造物。
【請求項７】
樹脂発泡成形体ブロックの片面に形成された外壁材の外周縁部には、樹脂発泡成形体ブロックの正面部が一部露出している、請求項１〜６のいずれかに記載の軽量盛土工法用垂直壁面構造物。
【請求項８】
発泡樹脂製角形ブロックを積み上げて構築する軽量盛土工法の前方に施工される垂直壁面構造物の施工において、先ず、基礎部に複数本の支柱を所定の間隔で立設させた後、片面に外装材を有した樹脂発泡成形体ブロックの貫通孔を支柱に挿通させることにより樹脂発泡成形体ブロックを積み上げると共に、前記支柱と発泡樹脂製角形ブロックとの間に傾倒防止金具を略水平方向に架設しながら順次樹脂発泡成形体ブロックを積み上げて、前記支柱に新たな接続用支柱を接続させることにより、更に高く樹脂発泡成形体ブロックを積み上げることを特徴とする、軽量盛土工法用垂直壁面構造物の施工方法。
【請求項９】
傾倒防止金具は、一端が支柱にスライド可能な環状又は略環状接続部が形成されており、他端が発泡樹脂製角形ブロックに係止される突起が形成されたものである、請求項８に記載の軽量盛土工法用垂直壁面構造物の施工方法。
【請求項１０】
傾倒防止金具が装着されている樹脂発泡成形体ブロックの貫通孔部分には垂直方向に開口部が形成されたものである、請求項８又は９に記載の軽量盛土工法用垂直壁面構造物の施工方法。
【発明の詳細な説明】
【０００１】
【発明の属する技術分野】
本発明は、軟弱地盤対策、地滑り対策、急斜面地の腹付け盛土対策、土圧軽減対策等を目的として施工される軽量盛土工法の化粧壁或いは保護壁として用いられる軽量盛土工法用垂直壁面構造物及びその施工方法に関するものである。
【０００２】
【従来の技術】
従来、軟弱地盤対策、地滑り対策、急斜面地の腹付け盛土対策、土圧軽減対策等を目的として施工される軽量盛土工法は、多数の発泡樹脂製角形ブロックを積み上げることにより構築されているが、その構築物の前方に化粧壁或いは保護壁としての役割の軽量盛土工法用垂直壁面構造物が施工されている（例えば、特許文献１及び非特許文献１参照）。
このような軽量盛土工法用垂直壁面構造物は、一般に垂直に立設されたＨ形鋼よりなる支柱と支柱との間にコンクリート板を嵌め込むことにより構築されたり（例えば、特許文献２〜３参照）、或いは、コンクリート製パネルのスリット溝に受け金物の頭部を嵌合した後、ナットを締め付けて支柱に固定することにより構築されていた（例えば、特許文献１参照）。
【０００３】
【特許文献１】
特開２０００−７３３６７号公報（第１−２頁、図３）
【特許文献２】
特開平１０−２４５８４７号公報（第１−４頁、図１）
【特許文献３】
特開平１１−２０９９９９号公報（第１−４頁、図１）
【非特許文献１】
三菱化学フォームプラスティック株式会社発行、「ＥＰＳ工法　スチロポールブロック」カタログ、第４−１１頁、２０００年１２月５日印刷
【０００４】
【発明が解決しようとする課題】
しかし、このような軽量盛土工法用垂直壁面構造物は、Ｈ形鋼よりなる支柱を垂直に立てるにしてもクレーン等の重機が必要となるし、しかも、このＨ形鋼よりなる支柱と支柱との間に嵌め込まれるコンクリート板や支柱に固定されるコンクリート製パネルは、通常、長さが２ｍ、幅が５０ｃｍ、厚さが５ｃｍ程度の大きさのものであることから、１枚当たりの重量が約５０ｋｇ程度と重くなるので、数人の作業員が持ち上げるにしても大変であるし、特に足場が悪い傾斜地での施工においては持ち上げるだけでも非常に危険性を伴うし、更に、このコンクリート板をＨ形鋼よりなる支柱と支柱の間に嵌め込むためには、コンクリート板をクレーン等の重機によって支柱であるＨ形鋼の上端部以上の高さにまで吊り上げなければ施工することができない。
それ故、従来、軽量盛土工法用垂直壁面構造物を施工するには、クレーン等の重機が必要であるとされていたし、特に傾斜法面に道路を敷設する場合等においては、重機の設置場所を確保しなければならないので、この様な工事を施工することが事実上不可能であったり、この様な工事の施工には極めて高価な工事費になる等の問題点があった。
【０００５】
【課題を解決するための手段】
本発明者は、上記問題点に鑑み、鋭意研究を重ねた結果、軽量化して傾斜地での施工においても作業員が二人程度で容易に持ち上げて作業することができれば、クレーン等の重機によって吊り上げなくても工事することができるし、重機の設置場所を確保せずに施工することができるので、工事費が嵩む等の問題点が解消することができるとの知見に基づき本発明を完成するに至ったものである。
すなわち、本発明の軽量盛土工法用垂直壁面構造物は、発泡樹脂製角形ブロックを積み上げて構築する軽量盛土工法の側壁として施工される垂直壁面構造物において、該垂直壁面構造物が、基礎部に所定の間隔で立設された複数本の支柱と、これら支柱に貫通孔を挿通させて積み上げた片面に外装材を有した多数個の樹脂発泡成形体ブロックと、前記支柱と発泡樹脂製角形ブロックとの間に架設される傾倒防止金具とから構成されいること、を特徴とするものである。
また、本発明のもう一つの発明である軽量盛土工法用垂直壁面構造物の施工方法は、発泡樹脂製角形ブロックを積み上げて構築する軽量盛土工法の前方に施工される垂直壁面構造物の施工において、先ず、基礎部に複数本の支柱を所定の間隔で立設させた後、片面に外装材を有した樹脂発泡成形体ブロックの貫通孔を支柱に挿通させることにより樹脂発泡成形体ブロックを積み上げると共に、前記支柱と発泡樹脂製角形ブロックとの間に傾倒防止金具を略水平方向に架設しながら順次樹脂発泡成形体ブロックを積み上げて、前記支柱に新たな接続用支柱を接続させることにより、更に高く樹脂発泡成形体ブロックを積み上げること、を特徴とするものである。
【０００６】
【発明の実施の形態】
［Ｉ］　　軽量盛土工法用垂直壁面構造物
（１）　構　造
本発明の軽量盛土工法用垂直壁面構造物１は、図１及び図２（ａ），（ｂ）に示す様に、山間部等の傾斜地２等で、谷側２ａに垂直壁面構造物１を施工して、山側２ｂに発泡樹脂製角形ブロック３を積み上げて道路４等を構築する軽量盛土工法にて施工されるものであり、この様な軽量盛土工法用垂直壁面構造物１は、基本的に、掘削土や砕石等を敷き込んだ後、転圧した基礎部、又は、土中に埋設されたコンクリート製基礎部５と、該基礎部５に所定の間隔で略垂直に立設された複数本の支柱６と、該支柱６に貫通孔７ａを挿通させて積み上げた片面に外装材８を有した多数個の樹脂発泡成形体ブロック７と、前記支柱６と発泡樹脂製角形ブロック３との間に架設される傾倒防止金具９とから構成されているものである。
【０００７】
（２）　構成部材
（Ａ）　基　礎
上記軽量盛土工法用垂直壁面構造物１における基礎部５は、図１に示す様に、傾斜地２を垂直に深く掘削して開けられた穴部に、鉄筋を配し、コンクリートを打設することによって形成した土中深くに埋められたコンクリート製基礎部５か、或いは、掘削土や砕石等を敷き込んだ後、転圧することにより形成した基礎部であっても良い。
【０００８】
（Ｂ）　支　柱
上記軽量盛土工法用垂直壁面構造物１における支柱６は、図１に示す様に、傾斜地２の谷側２ａの地中深くに埋められたコンクリート製基礎部５や掘削土や砕石等を敷き込んだ後、転圧した基礎部上に所定の間隔で略垂直に立設される。
支柱６としては、鋼管やＣ型鋼、Ｈ型鋼等の形状のものを使用することができる。
この支柱６は、接続して長く延長することができるように、接続用ジョイント部が形成されていることが好ましい。
上記接続用ジョイント部としては、螺子式、嵌め込み式等により長く延長可能なものであれば良く、具体的には、例えば、図３に示す鋼管の様に、その上端６ａ側には雌ネジ部６ｃが形成されており、他の接続用支柱６の下端６ｂ側の雄ネジ部６ｄと螺合自在に形成したり、或いは、端部にジョイント金物を取り付けて、ボルト締めすること等により接続延長することが可能でな様になっている。
従って、このような支柱６は、螺合させること等により長く延長することができるので、繋ぎ合わせる前の支柱６の長さは余り長くする必要はなく、一般に１〜１．５ｍ程度である。
該支柱６の形状は貫通孔７ａに嵌挿された後も回転させることから、特に円筒状であるのが好ましい。
【０００９】
（Ｃ）　樹脂発泡成形体ブロック
上記軽量盛土工法用垂直壁面構造物１に用いられる樹脂発泡成形体ブロック７は、図４及び図５（ａ）〜（ｆ）に示す様に、発泡樹脂成形体により得られるものであるが、前記発泡樹脂製角形ブロック３と異なり、上下面部及び左右側面部に嵌合用凸部７ｄ又は嵌合用凹部７ｅを形成すると共に、片面に外装材７を有しており、前記支柱６を貫通させて積み上げるための貫通孔７ａが形成されている。
該貫通孔７ａの上面又は下面部側には傾倒防止金具用孔７ｂ，７ｂ及び上下方向に形成された開口部７ｃ，７ｃが形成されている平板状のブロックである。
材　質
本発明の樹脂発泡成形体ブロック１を構成する材質としては、基本的には、ポリウレタン系樹脂、フェノール系樹脂、尿素系樹脂、メラミン系樹脂等の熱硬化性樹脂や、ポリスチレン系発泡性樹脂、ポリプロピレン系発泡性樹脂、ポリエチレン系発泡性樹脂等の熱可塑性発泡性樹脂を発泡成形することにより得られる樹脂発泡成形体が用いられている。これら樹脂の中でも特に成形性、加工性の良好な発泡ポリスチレン系樹脂が好ましい。
この様な樹脂発泡成形体を用いているために、従来のコンクリート製パネルと異なり、かなりの軽量化を行うことができるので、良好な軽量盛土工法用垂直壁面構造物４を提供することができる。
【００１０】
（ａ）　嵌合用凸部又は凹部
上記樹脂発泡成形体ブロック７を積み上げて軽量盛土工法用垂直壁面構造物１を形成した際に、その重ね合わせ部分に隙間が生じ難いように上下面部及び左右側面部に嵌合用凸部７ｄ又は嵌合用凹部７ｅが形成されている。
【００１１】
（ｂ）　外装材
上記樹脂発泡成形体ブロック７の片側面には、軽量盛土工法用垂直壁面構造物１が完成した際には、外観上や防災上から、化粧壁或いは保護壁として形成されている必要性があることから、片側面にモルタルを塗工したり、タイル、無機質系押出セメント板等の外装材８が接着剤等によって貼着されていたり、樹脂発泡成形体ブロック７の表面上にあり溝７ｇを形成して、このあり溝７ｇに外装材８の一部を充填して嵌着したりして外装材８を樹脂発泡成形体ブロック７の片面に固着する。
【００１２】
（ｃ）　貫通孔
上記樹脂発泡成形体ブロック７には、前記支柱６を貫通させるための貫通孔７ａが形成されている。
該貫通孔７ａは、支柱６の断面形状と同じ丸形或いは四角形であるのが普通である。
【００１３】
（ｄ）　傾倒防止金具用孔
上記貫通孔７ａの上面部及び下面部側には、傾倒防止金具９を装着して、軽量盛土工法用垂直壁面構造物１が傾倒するのを防止することができる様に、傾倒防止金具用孔７ｂが形成されている。
該傾倒防止金具用孔１ｂは貫通孔７に挿通した支柱６に傾倒防止金具９を嵌入させる為、傾倒防止金具用孔７ｂの直径は、支柱６を挿通する貫通孔７ａの直径よりも傾倒防止金具９の分だけ大きな直径のものとなる。
また、この傾倒防止金具用孔７ｂの深さは、支柱６に傾倒防止金具９を嵌挿した状態で水平方向には固定されているが、上下方向には支柱６に嵌挿した状態で傾倒防止金具９が多少移動しても良いようになっている。
【００１４】
（ｅ）　開口部
上記樹脂発泡成形体ブロック７の貫通孔７ａの上面部及び下面部側の傾倒防止金具用孔７ｂには、開口部７ｃが形成されている。
該開口部７ｃは傾倒防止金具９が取り付けられて、樹脂発泡成形体ブロック７を積み上げることができる様になっている。
該開口部７ｃは、樹脂発泡成形体ブロック７の外装材８を有した面と反対側の面に形成されており、傾倒防止金具９が多少上下しても良いように開口部７ｃの長さは傾倒防止金具９の厚みよりも大きく形成されている。
この開口部７ｃが形成される理由は、本発明の樹脂発泡成形体ブロック７が時間的な経過によって樹脂発泡成形体ブロック７を構成する樹脂発泡成形体や軽量盛土工法用垂直壁面構造物１全体が沈み込んだり、或いは、軽量盛土工法にて積み上げられた発泡樹脂製角形ブロック３の樹脂発泡成形体粒子内部の発泡ガスが大気に放出されて、盛土部分全体が沈み込んだりしても、前記傾倒防止金具９が上下に移動自在になっている。
該開口部７ｃの形状は、傾倒防止金具９が上下に移動できる大きさのものであれば良いので、傾倒防止金具９の幅以上の広さを有するスリット状のものであることが好ましく、特に図４及び５に示す如きスリット状開口部７ｃであることが好ましい。
【００１５】
（ｆ）　正面露出部
樹脂発泡成形体ブロック７の正面側には。上記外装材８により被覆されていない樹脂発泡成形体ブロック７の正面露出部７ｆが形成されている。
この様に樹脂発泡成形体ブロック７の正面部分の方が外壁材８により被覆される部分よりも大きく形成されている理由は、上記開口部７ｃを形成する場合と同様に、本発明の樹脂発泡成形体ブロック７や軽量盛土工法用垂直壁面構造物１全体が沈み込んだりしても、樹脂発泡成形体ブロック７の外壁材８の部分が隣接する樹脂発泡成形体ブロック７’の外壁材８と互いに当たって収縮できなくなったり、軽量盛土工法垂直壁面構造物１の片側だけしか外壁材８が備えられていないので、片側面だけ収縮するために、軽量盛土工法用垂直壁面構造物１全体が傾斜してしまうといったことが生じない様にしている。
【００１６】
（Ｄ）　傾倒防止金具
上記軽量盛土工法用垂直壁面構造物１に用いられる傾倒防止金具９は、一端にスライド可能な環状又は略環状接続部が形成されており、他端に発泡樹脂製角形ブロック３に係止する為の突起部９ｂが形成された棒状体である。
一端に設けられるスライド可能な環状又は略環状接続部としては、Ｏ字状接続部又はＣ字状接続部の様な丸形状以外に、コ字状金具の先端側に穿設された穴にボルトナットを挿通して形成した四角い形状の環状接続部であっても良い。
具体的には、例えば、図３に示す様に、一端に支柱６に嵌入させるリング部９ａが形成されており、他端に発泡樹脂製角形ブロック３に係止するための突起部９ｂが形成された棒状体等である。
該傾倒防止金具９は、上記リング部９ａと突起部９ｂが形成された棒状体とが一体となったものだけでなく、図６に示す様に、支柱６に嵌入させるリング部９ａと突起部９ｂが形成された棒状体とが分割されていて、該リング部９ａと突起部９ｂが形成された棒状体とがボルト等の接合部材９ｃにより着脱自在に形成されていることが好ましい。
これら傾倒防止金具９は、図１に示す様に、支柱６と発泡樹脂製角形ブロック３との間に略水平方向に架設されることにより、谷側２ａに軽量盛土工法用垂直壁面構造物１が傾倒しない様に、傾倒防止金具９の突起部９ｂを発泡樹脂製角形ブロック３に突き刺して引っ張っている。
【００１７】
［ＩＩ］　軽量盛土工法用垂直壁面構造物の施工
（１）　基礎部の形成
本発明の軽量盛土工法用垂直壁面構造物１を施工するには、先ず、図１に示す様に、傾斜地２の谷側２ａに垂直に深く掘削して開けられた穴部に鉄筋を配し、コンクリートを打設することによって形成した土中深くに埋められたコンクリート製基礎部５を形成するか、或いは、掘削土や砕石等を敷き込んだ後、転圧することにより形成した基礎部を形成する。
【００１８】
（２）　支柱の形成
この基礎部５には支柱６が略垂直に立てられる。
【００１９】
（３）　発泡樹脂製角形ブロックの載置
そして、図２（ａ）（ｂ）に示す様に、このコンクリート製基礎５や支柱６の部分より山側２ｂの部分を削り取り平坦に均し、多数個の発泡樹脂製角形ブロック３（一段目）を並べる。
【００２０】
（４）　樹脂発泡成形体ブロックの載置
次に、図１に示す様に、上記支柱６に樹脂発泡成形体ブロック７の貫通孔７ａを挿通させて、基礎部５上に樹脂発泡成形体ブロック７（一段目）を載置する。支柱６を挿通した後の樹脂発泡成形体のブロック７の貫通孔７ａにできる隙間については、該隙間にモルタルを充填したり、発泡樹脂等で造られた楔材等で支柱６と樹脂発泡成形体ブロック７を固定することが好ましい。
【００２１】
（５）　傾倒防止金具による架け渡し
更に、上記支柱６に傾倒防止金具９のスライド可能な環状又は略環状接続部９ａを挿通させ、更に、上記スライド可能な環状又は略環状接続部９ａを樹脂発泡成形体ブロック７の傾倒防止金具用孔７ｂの開口部７ｃに挿通させて、傾倒防止金具９の突起部９ｂ側を発泡樹脂製角形ブロック３に突き刺して、図２（ｂ）に示す様に、傾倒防止金具９を支柱６と発泡樹脂製角形ブロック３との間に架け渡す。
【００２２】
（６）　樹脂発泡成形体ブロックの積み重ね
そして、再び、上記支柱６に樹脂発泡成形体ブロック７の貫通孔７ａを挿通させて、図１及び図２（ｂ）に示す様に、上記樹脂発泡成形体ブロック７上に樹脂発泡成形体ブロック７を積み重ねて、二段目を形成する。
樹脂発泡成形体ブロック７と隣接する樹脂発泡成形体ブロック７’との間には、図６に示す様な、ブロック接続金具１３を用いて樹脂発泡成形体ブロック７と隣接する樹脂発泡成形体ブロック７’とを接続することもできる。
【００２３】
（７）　発泡樹脂製角形ブロックの積み重ね
上記発泡樹脂製角形ブロック３上に新たな発泡樹脂製角形ブロック３を積み重ねて、二段目を形成する。
【００２４】
（８）　傾倒防止金具による架け渡し
そして、再び、支柱６に傾倒防止金具９のスライド可能な環状又は略環状接続部９ａを挿通させ、更に、上記スライド可能な環状又は略環状接続部９ａを樹脂発泡成形体ブロック７の傾倒防止金具用孔７ｂの開口部７ｃに挿通させて、傾倒防止金具９の突起部９ｂ側を発泡樹脂製角形ブロック３に突き刺して、図１及び図２（ｂ）に示す様に、傾倒防止金具９を支柱６と発泡樹脂製角形ブロック３との間に架け渡す。
【００２５】
（９）　支柱の繋ぎ合わせ
上記樹脂発泡成形体ブロック７と発泡樹脂製角形ブロック７とを、傾倒防止金具９で支柱６と発泡樹脂製角形ブロック３とを架け渡しながら、同様にして積み重ねると、支柱６よりも高くなってしまうので、該支柱６の接続用ジョイント部６ｃに接続用の支柱６の接続用ジョイント部６ｄを螺合させることにより繋ぎ合わせる。
【００２６】
（１０）　樹脂発泡成形体ブロックと発泡樹脂製角形ブロックとの積み重ね
そして、再び、図１及図２（ｂ）に示す様に、上記樹脂発泡成形体ブロック７と発泡樹脂製角形ブロック３とを、傾倒防止金具９により支柱６と発泡樹脂製角形ブロック３とを架け渡しながら、同様にして積み重ねる（三段目以上）。
【００２７】
（１１）　コンクリート製床板の施工
上記樹脂発泡成形体ブロック７と発泡樹脂製角形ブロック３とを所定の高さにまで積み重ねると、図１に示す様に、山側２ｂの路肩部２ｃと軽量盛土工法用垂直壁面構造物１との幅Ｗが所定の長さになったところで、その上に、コンクリート製床板１０が施工される。
該コンクリート製床板１０の山側部分１０ａには山側２ｂの地中深くにアンカー１１を埋め込んで、軽量盛土工法用垂直壁面構造物１が谷側２ａに傾倒しない様にさせている。
【００２８】
（１２）　路盤の形成
上記コンクリート製床板１０の上には路盤１２が形成される。
（１３）　道路の完成
そして、その上には車道舗装、ガードレール、歩道舗装、街灯等が設置されて道路４が完成する。
【００２９】
【実施例】
以下に示す実施例によって、本発明を更に具体的に説明する。
実施例１
（１）　樹脂発泡成形体ブロックの製造
三菱化学フォームプラスティック（株）製の発泡性ポリスチレン樹脂（商品名「ＪＦ２００」）を原料に用いて、ダイセン工業（株）製発泡ポリスチレン用バッチ式予備発泡機「ＤＹＨ−１０００」を使用して予備発泡し、発泡比重３０ｋｇ／ｍ３の予備発泡粒子を得た。
次に、ダイセン工業（株）製発泡ポリスチレン用型物成形機にて成形した。そして、成形寸法が縦３０ｃｍ、横１００ｃｍ、厚み１２０ｍｍの発泡ポリスチレン成形品を得た。
その後、この発泡ポリスチレン成形品の外壁材を取り付ける面に、セメント系接着剤を塗布した。セメント系接着剤としては、普通ボルトランドセメントと水溶性エマルジョンを混ぜ合わせたものを刷毛塗り使用した。上記水溶性エマルジョンとして、ＢＡＳＦエマルジョン（株）製のアクリル系樹脂エマルジョン（商品名：アクロナール２９５Ｄ）を使用した。その配合処方は、普通ボルトランドセメント２ｋｇとアクロナール２９５Ｄ１ｋｇと水０．４ｋｇとを混ぜ合わせものを使用した。
次に、このセメント系接着剤を塗布した発泡ポリスチレン成形品に型枠を取り付け、軽量モルタルを鏝塗りし接着させた。軽量モルタルとしては、富士川建材（株）製品（商品名：ラスモルタル）を使用した。その外壁材モルタル部分の大きさは、縦２９．５ｃｍ、横１００ｃｍ、厚み２０ｍｍであった。
従って、縦３０ｃｍ、横１００ｃｍ、厚み１４０ｍｍの樹脂発泡成形体ブロックを得た。
【００３０】
（２）　発泡樹脂製角形ブロックの製造
三菱化学フォームプラスティック（株）製の発泡性ポリスチレン樹脂（商品名「ＪＦＮ２０１」）を原料に用いて、ダイセン工業（株）製発泡ポリスチレン用バッチ式予備発泡機「ＤＹＨ−１０００」を使用して予備発泡し、発泡比重２０ｋｇ／ｍ３の予備発泡粒子を得た。
次に、ダイセン工業（株）製発泡ポリスチレン用ブロック成形機にて成形した後、大きさが縦２００ｃｍ×横１００ｃｍ×厚み５０ｃｍ、重さが２０ｋｇ、成形品比重２０ｋｇ／ｍ３の直方体状の樹脂発泡成形体ブロックを得た。
【００３１】
（３）　軽量盛土工法用垂直壁面構造物の形成と発泡樹脂製角形ブロックの積み重ね
コンクリート製基礎の形成
図１に示す様に、傾斜地２の谷側２ａに垂直に深く掘削して開けられた穴部に鉄筋を配し、コンクリートを打設することによって土中深くに埋められたコンクリート製基礎５を形成する。
【００３２】
支柱の形成
このコンクリート製基礎５には支柱６が立てられる。
【００３３】
発泡樹脂製角形ブロックの載置
上記発泡樹脂製角形ブロック３を傾斜地２の基礎部５より山側２ｂの部分を削り取り平坦に均し、多数個の発泡樹脂製角形ブロック３（一段目）を並べる。
【００３４】
樹脂発泡成形体ブロックの載置
上記支柱６に樹脂発泡成形体ブロック７の貫通孔７ａを挿通させて、コンクリート製基礎５上に樹脂発泡成形体ブロック７（一段目）を載置する。
【００３５】
傾倒防止金具の架け渡し
上記支柱６に傾倒防止金具９のリング部９ａを挿通させ、更に、上記リング部９ａを樹脂発泡成形体ブロック７の傾倒防止金具用孔７ｂのスリット部７ｃに挿通させて、傾倒防止金具９の突起部９ｂ側を発泡樹脂製角形ブロック３に突き刺して、図２（ｂ）に示す様に、傾倒防止金具９を支柱６と発泡樹脂製角形ブロック３との間に架け渡す。
また、樹脂発泡成形体ブロック７と隣接する樹脂発泡成形体ブロック７’との間にブロック接続金具１３を用いて接続する。
【００３６】
樹脂発泡成形体ブロックの形成と発泡樹脂製角形ブロックの積み重ね
上記樹脂発泡成形体ブロック７上に樹脂発泡成形体ブロック７を積み重ねて、二段目を形成する。
上記発泡樹脂製角形ブロック３上に新たな発泡樹脂製角形ブロック３を積み重ねて、二段目を形成する。
そして、再び、支柱６に傾倒防止金具９のリング部９ａを挿通させ、更に、上記リング部９ａを樹脂発泡成形体ブロック７の傾倒防止金具用孔７ｂの開口部７ｃに挿通させて、傾倒防止金具９の突起部９ｂ側を発泡樹脂製角形ブロック３に突き刺して、傾倒防止金具９を支柱６と発泡樹脂製角形ブロック３との間に架け渡す。
【００３７】
支柱の繋ぎ合わせ
上記樹脂発泡成形体ブロック７と発泡樹脂製角形ブロック３とを、傾倒防止金具９で支柱６と発泡樹脂製角形ブロック３とを架け渡しながら、同様にして積み重ねると、支柱６よりも高くなってしまうので、該支柱６の雌ネジ部６ｃに接続用の支柱６の雄ネジ部６ｄを螺合させることにより繋ぎ合わせる。
【００３８】
樹脂発泡成形体ブロックの形成と発泡樹脂製角形ブロックの積み重ね（三段目以上）
そして、上記樹脂発泡成形体ブロック７と発泡樹脂製角形ブロック３とを、傾倒防止金具９で支柱６と発泡樹脂製角形ブロック３とを架け渡しながら、同様にして三段目以上を積み重ねる。
【００３９】
（４）　コンクリート製床板の施工
上記樹脂発泡成形体ブロック７と発泡樹脂製角形ブロック３とを所定の高さにまで積み重ねると、図３に示す様に、山側２ｂの路肩部２ｃと軽量盛土工法用垂直壁面構造物１との幅Ｗが所定の長さになったところで、その上に、コンクリート製床板１０が施工される。
該コンクリート製床板１０の山側部分１０ａには山側２ｂの地中深くにアンカー１１を埋め込んで、軽量盛土工法用垂直壁面構造物１が谷側２ａに傾倒しない様にさせている。
【００４０】
（５）　路盤の形成
上記コンクリート製床板１０の上には路盤１２が形成される。
【００４１】
（６）　道路の完成
そして、その上には車道舗装、ガードレール、歩道舗装、街灯等が設置されて道路４が完成する。
【００４２】
【発明の効果】
このような本発明の軽量盛土工法用垂直壁面構造物は、片面に外装材を貼着した樹脂発泡成形体ブロックが軽量化されているので、傾斜地での施工においても作業員が容易に持ち上げて作業することができるので、クレーン等の重機が無くても施工することができる。
更に、支柱が発泡樹脂製角形ブロックとの間に架設されている傾倒防止金具によって傾斜したり転倒することが防止されている。
また、支柱が両端に設けられた接続用の螺子部を螺合させることにより接続させて長尺の支柱とすることができる。
それ故、作業員が樹脂発泡成形体ブロックを容易に持ち上げて支柱の貫通孔に挿通させて積み上げ、支柱も接続して長尺の支柱とすることができるので、傾斜地での施工においてもクレーン等の重機が無くても施工することができるので、重機の設置場所を確保せずに工事を施工することができるので、安価な工事費とすることができる。
ことができる。
【図面の簡単な説明】
【図１】図１は、本発明実施例の軽量盛土工法用垂直壁面構造物の断面図である。
【図２】図２（ａ）（ｂ）は、発泡樹脂製角形ブロックを積み重ねてコンクリート床板を施工した軽量盛土構造物の断面図（ａ）及び軽量盛土工法用垂直壁面構造物と軽量盛土構造物との断面図（ｂ）である。
【図３】図３は、本発明実施例の支柱及び傾倒防止金具の一部切り欠き斜視図である。
【図４】図４は、本発明実施例の樹脂発泡成形体ブロックの斜視図である。
【図５】図５（ａ）〜（ｆ）は、図４の発泡樹脂製ブロックのそれぞれ正面図（ａ）、背面図（ｂ）、上面図（ｃ）、下面図（ｄ）、右側面図（ｅ）、左側面図（ｆ）である。
【図６】図６は、図５の発泡樹脂製ブロックを用いて施工した軽量盛土工法用垂直壁面構造物の斜視図である。
【符号の説明】
１　軽量盛土工法用垂直壁面構造物
２　傾斜地
２ａ　谷側
２ｂ　山側
２ｃ　路肩部
３　発泡樹脂製角形ブロック
４　道路
５　コンクリート製基礎部
６　支柱
６ａ　上端
６ｂ　下端
６ｃ　雌ネジ部
６ｄ　雄ネジ部
７　樹脂発泡成形体ブロック
７ａ　貫通孔
７ｂ　傾倒防止金具用孔
７ｃ　開口部
７ｄ　嵌合用凸部
７ｅ　嵌合用凹部
７ｆ　正面露出部
７’　隣接する樹脂発泡成形体ブロック
８　外装材
９　傾倒防止金具
９ａ　リング部
９ｂ　突起部
９ｃ　接合部材
１０　コンクリート製床板
１０ａ　山側部分
１１　アンカー
１２　路盤
１３　ブロック接続金具
【図１】
2004137786.tif 000003
【図２】
2004137786.tif 000004
【図３】
2004137786.tif 000005
【図４】
2004137786.tif 000006
【図５】
2004137786.tif 000007
【図６】
2004137786.tif 000008